(57)【要約】  本発明は、送電軌条（２）の第１の成形部（２ａ）を受容するための凹部を有するベース部分（１）を備えた送電軌条担持体に関する。この場合、送電軌条の第２の成形部（２ｂ）を受容するための凹部を有する差込み部分（３）は、送電軌条の方向にスライドさせてベース部分上に取り付け可能である。差込み部分は送電軌条の方向とは異なる方向では拘束されている。本発明によれば、ベース部分はあり継ぎ状の成形部（１ａ）と案内溝とを有し、差込み部分に設けたあり継ぎ状の凹部は前記あり継ぎ状の成形部を受容し、前記案内溝は差込み部分に成形されているガイドピン（３ａ）を受容している。
2008534346.tif 000002
【特許請求の範囲】
【請求項１】
送電軌条（２）の第１の成形部（２ａ）を受容する凹部を持つベース部分（１）を備え、送電軌条（２）の第２の成形部（２ｂ）を受容する凹部を持つ差込み部分（３）が、送電軌条（２）の方向にスライドさせてベース部分（１）上に取り付け可能であり、他の方向では拘束される送電軌条担持体において、
ベース部分（１）があり継ぎ状の成形部（１ａ）と案内溝とを有しており、差込み部分（３）に設けたあり継ぎ状の凹部が前記あり継ぎ状の成形部（１ａ）を受容し、前記案内溝が差込み部分（３）に成形されたガイドピン（３ａ）を受容することを特徴とする送電軌条担持体。
【請求項２】
差込み部分（３）の形状が、ベース部分（１）の付設の形状と互いに形状拘束的に係合することを特徴とする請求項１記載の送電軌条担持体。
【請求項３】
固定のため、少なくとも１つのねじ（４）がベース部分（１）と差込み部分（３）とを結合することを特徴とする請求項１又は２記載の送電軌条担持体。
【請求項４】
ベース部分（１）が構造物（６）に固定されたことを特徴とする請求項１から３の１つに記載の送電軌条担持体。
【請求項５】
前記構造物（６）が磁気浮上鉄道のための走行路の一部分であることを特徴とする請求項４記載の送電軌条担持体。
【請求項６】
ベース部分（１）と差込み部分（３）とが自己絶縁性プラスチックから成ることを特徴とする請求項１から５の１つに記載の送電軌条担持体。
【請求項７】
送電軌条（２）と、ベース部分（１）および／又は差込み部分（３）との間に滑り要素（７）が配置されたことを特徴とする請求項１から６の１つに記載の送電軌条担持体。
【請求項８】
差込み部分（３）がロープを介してベース部分（１）と結合されたことを特徴とする請求項１から７の１つに記載の送電軌条担持体。
【発明の詳細な説明】
【技術分野】
【０００１】
本発明は、送電軌条の第１の成形部を受容する凹部を持つベース部分を備え、送電軌条の第２の成形部を受容する凹部を持つ差込み部分が、送電軌条の方向にスライドさせてベース部分上に取り付け可能であり、他の方向では拘束される送電軌条担持体に関する。
【背景技術】
【０００２】
この種送電軌条担持体は、欧州特許第１１６５３４１号明細書で公知である。ここでは送電軌条は第１の成形部で、ベース部分として用いられる担持体本体に設けた溝に挿入されている。送電軌条を拘束すべく、所謂スナップ要素が用いられる。スナップ要素は送電軌条の第２の成形部を受容する凹部を有し、送電軌条を取り付けるため、上から前記担持体本体に嵌合される。
【０００３】
米国特許第３３４１６７０号明細書からは、横断面をＣ字状に成形した送電軌条担持体が知られている。送電軌条は取り付けの際端面から送電軌条担持体の中へ押し込まれ、その結果送電軌条の２つの成形部はＣ字状異形部で送電軌条を保持する。
【０００４】
前記米国特許第３３４１６７０号明細書に記載の送電軌条担持体は面倒な取り付けを必要とする。前記欧州特許第１１６５３４１号明細書の送電軌条担持体は、操作はし易いものの、常に最適な安定性を保証するものではない。常に安定した保持が望ましい場合、スナップ装置の構成はコスト高である。
【０００５】
独国実用新案登録第９２０３２１３号明細書からは、送電軌条を締め付け異形部材により保持体で保持させるようにした送電軌条担持体が知られている。
【発明の開示】
【発明が解決しようとする課題】
【０００６】
本発明の課題は、送電軌条を迅速且つ確実に取り付けることができ、小さなスペースでしっかりした結合を保証できる送電軌条担持体を提供することである。
【課題を解決するための手段】
【０００７】
この課題は、本発明によれば、ベース部分があり継ぎ状の成形部と案内溝とを有し、差込み部分に設けたあり継ぎ状の凹部が前記あり継ぎ状の成形部を受容し、前記案内溝が差込み部分に成形されたガイドピンを受容することによって解決される。
【０００８】
前記欧州特許第１１６５３４１号明細書の送電軌条担持体におけると同様に、取り付けのため、まず送電軌条をベース部分の凹部に挿入し、次に送電軌条担持体の他の部分により送電軌条の拘束を保証させる。
【０００９】
本発明による送電軌条担持体では、送電軌条の方向においてベース部分の適当な凹部に押し込み可能な差込み部分を備えることが重要である。この結合態様は特に安定であり、特に上向きの力が働く場合に安定である。更に、本発明による送電軌条担持体は容易且つ迅速に取り付け可能である。取り付けのために、例えば機械的なばねのように凹部にスナップ固定できるような面倒な保持要素を必要としない。むしろ、簡単な差込み要素で十分である。差込み部分はベース部分を取り囲む必要はない。
【００１０】
送電軌条が小さなスペースでベース部分と形状拘束的にしっかりと結合すると言う利点が得られる。これは二重のあり継ぎにより保証される。ベース部分には、差込み部分に係合する１つのあり継ぎが成形されるが、送電軌条の２つの成形部も同様に、差込み部分に係合する１つのあり継ぎを形成している。
【００１１】
例えば、差込み部分の形状はベース部分の付設の形状と互いに形状拘束的に係合している。かくして、特に安定な保持が可能である。
【００１２】
例えば固定のため、少なくとも１つのねじでベース部分と差込み部分とを結合する。通常は複数個のねじを設けてよい。この固定により、送電軌条の方向に作用する力も送電軌条担持体の安定性を損なわせないという利点が得られる。
【００１３】
ベース部分は、例えば構造物に固定されている。構造物は、金属或いはコンクリートから成り得る。構造物の固定面が滑らかであれば、スペースを節約できる。
【００１４】
前記構造物は、例えば磁気浮上鉄道のための走行路の一部分である。即ち磁気浮上鉄道は、駅の起動領域で、磁気浮上鉄道の走行路に配置せねばならない送電軌条を介しての給電を必要とする。このとき、車両の下部領域にある集電装置は送電軌条と接触する。本発明による送電軌条担持体は、その安定性の故に磁気浮上鉄道に特に適している。
【００１５】
ベース部分と差込み部分は、例えば自己絶縁性プラスチックから成る。この際、ガラス繊維強化プラスチック（ＧＦＫ）がよい。別個の絶縁体を必要としない点で有利である。
【００１６】
送電軌条とベース部分および／又は差込み部分との間に、例えば滑り要素が配置されている。滑り要素は通常プラスチックから成り、送電軌条の熱膨張により引き起こされる相対運動を可能にする。
【００１７】
例えば、差込み部分はロープを介してベース部分と結合される。この結果、取り付け前にベース部分とこれに付属の差込み部分とを常に対として一緒にすることができる。
【００１８】
本発明による送電軌条担持体により、特に、送電軌条を簡単な手段で迅速且つ確実に設置できるという利点が得られる。
【００１９】
更に、２つの送電軌条を重設する場合には、同種の２つの送電軌条担持体を重ね合わせて設置できるという利点が生ずる。
【発明を実施するための最良の形態】
【００２０】
本発明による送電軌条担持体の１実施形態を、図面を用いて詳細に説明する。
【００２１】
図は送電軌条担持体のベース部分１を示す。ベース部分１は、送電軌条２の第１の成形部２ａを受容すべく凹部を有している。取り付けのため、送電軌条２をベース部分１の前記凹部に挿入する。差込み部分３は送電軌条２の第２の成形部２ｂを受容するための凹部を有している。この差込み部分３は送電軌条２の方向にスライドさせてベース部分１上に取り付け可能である。このため、ベース部分１の形状と差込み部分３の形状とは互いに形状拘束的に係合する。本実施形態では、ベース部分１はあり継ぎ状の成形部１ａを有し、該成形部１ａは取り付けた差込み部分３により形状拘束的に把持される。更に、差込み部分３はガイドピン３ａによりベース部分１の対応する案内溝に形状拘束的に係合する。
【００２２】
差込み部分３をベース部分１に強固に固定すべく、複数個のねじ４を用いる。これらねじ４と１個の補助的なねじ５とを用い、ベース部分１を構造物６に固定する。この構造物６は金属から成り、例えば磁気浮上鉄道のための走行路の一部分である。ベース部分１と差込み部分３とは自己絶縁性プラスチック、例えばガラス繊維強化プラスチックから成っており、その結果構造部６に対する送電軌条２の十分な絶縁が与えられている。
【００２３】
本発明による送電軌条担持体は、送電軌条２の安定した保持を保証すると共に、組み立てが容易である。
【００２４】
送電軌条２とベース部分１および／又は差込み部分３との間に滑り要素７を配置したことで、送電軌条２の熱膨張時、該送電軌条２は送電軌条担持体内で滑動可能である。
【００２５】
差込み部分３は、図示しないロープを介してベース部分１と結合するよい。この結果、ベース部分１と差込み部分３とから成る対が常に存在するよう保証できる。
【図面の簡単な説明】
【００２６】
【図１】送電軌条担持体のベース部分を示す図である。
【符号の説明】
【００２７】
１  ベース部分、１ａ  ベース部分のあり継ぎ状の成形部、２  送電軌条、２ａ  送電軌条の第１の成形部、２ｂ  送電軌条の第２の成形部、３  差込み部分、３ａ  ガイドピン、４  ねじ、５  補助的なねじ、６  構造物、７  滑り要素
【図１】
2008534346.tif 000003
【国際調査報告】
2008534346.tif 000004
2008534346.tif 000005
2008534346.tif 000006
2008534346.tif 000007